【手続補正書】
【提出日】平成17年2月28日(2005.2.28)
【手続補正１】
【補正対象書類名】明細書
【補正対象項目名】００１４
【補正方法】変更
【補正の内容】
【００１４】
ドイツ特許出願公開第第４４２５２６８号明細書には増粘剤としてアクリル酸ポリマーを含有するが同様に酸性製剤には適していない乳化剤不含の微細分散の油／水型調製物が開示されている。  
【手続補正２】
【補正対象書類名】明細書
【補正対象項目名】００１５
【補正方法】変更
【補正の内容】
【００１５】
【発明の構成】
驚くべきことに本発明者は、アクリルアミドアルキルスルホン酸および環状Ｎ−ビニルカルボキシアミド類および／または環状Ｎ−ビニルカルボキシアミド類をベースとする架橋したコポリマーが界面活性剤不含の化粧料、皮膚用剤および薬剤において増粘剤、安定剤、分散剤および潤滑剤として非常に適していることを見出した。
【手続補正３】
【補正対象書類名】明細書
【補正対象項目名】００２９
【補正方法】変更
【補正の内容】
【００２９】
コポリマーは遊離ラジカル共重合、特に沈殿重合、なかでも第三ブタノール中でのそれによって製造するのが有利である。式（１）、（２）および（３）に相応するモノマーをプロトン性溶剤に溶解または分散し、次いで１種類以上の架橋剤ｃ）をこの溶液または分散液に添加しそして重合を公知の様に遊離基形成性化合物の添加によって開始するのが有利である。
【手続補正４】
【補正対象書類名】明細書
【補正対象項目名】００３７
【補正方法】変更
【補正の内容】
【００３７】
組成物の油の割合は完成組成物を基準として９５重量％まで、好ましくは２〜９５重量％、特に好ましくは２〜５０重量％、中でも５〜２０重量％である。
【手続補正５】
【補正対象書類名】明細書
【補正対象項目名】００４１
【補正方法】変更
【補正の内容】
【００４１】
カチオン性ポリマーはＩＮＣＩ−標記で“ポリクオータニウム（Polyquaternium)"として知られる化合物、特にポリクオータニウム−３１、ポリクオータニウム−１６、ポリクオータニウム−２４、ポリクオータニウム−７、ポリクオータニウム−２２、ポリクオータニウム−３９、ポリクオータニウム−２８、ポリクオータニウム−２、ポリクオータニウム−１０、ポリクオータニウム−１１およびポリクオータニウム−３７＆鉱油＆ＰＰＧトリデセス(trideceth)(Salcare SC95) 、ＰＶＰ−ジメチルアミノエチルメタクリレート−コポリマー、グアーヒドロキシプロピルトリアンモニウムクロライド、およびアルギン酸カルシウムおよびアルギン酸アンモニウムが適している。更にカチオン性セルロース誘導体；カチオン性澱粉；ジアリルアンモニウム塩およびアクリルアミド類のコポリマー；四級化されたビニルピロリドン／ビニルイミダゾール−ポリマー；ポリグリコールとアミン類との縮合生成物；四級化されたコラーゲンポリペプチド；四級化された小麦ポリペプチド；ポリエチレンイミン；カチオン性シリコーンポリマー（例えばアミドメチコーン類）；アジピン酸とジメチルアミノヒドロキシ−プロピルジエチレントリアミンとのコポリマー；ポリアミノポリアミド類およびカチオン性キチン誘導体（例えばキトサン）が適する。
【手続補正６】
【補正対象書類名】明細書
【補正対象項目名】００４３
【補正方法】変更
【補正の内容】
【００４３】
適する膜形成剤は用途目的次第で水溶性のポリウレタン（例えばＣ１０−ポリカルバミルポリグリセリルエステル）、ポリビニルアルコール、ポリビニルピロリドン、ポリビニルピロリドン−コポリマー（例えばビニルピロリドン／醋酸ビニル−コポリマー）、水溶性アクリル酸ポリマー／コポリマーおよびそれらのエステルまたは塩（例えばアクリル酸／メタクリル酸の部分エステルコポリマー）、脂肪アルコールのポリエチレングリコールエーテル（例えばアクリレート／ステアレート−２０−メタクリレート−コポリマー）、水溶性セルロース（例えばヒドロキシメチルセルロース、ヒドロキシエチルセルロース、ヒドロキシプロピルセルロース）、水溶性クオータニウム、ポリクオータニウム、カルボキシビニル−ポリマー（例えばカルボマー（Carbomers)およびそれの塩）および／または多糖類（例えばポリデキストロースおよびグルカン）がある。
【手続補正７】
【補正対象書類名】明細書
【補正対象項目名】００４９
【補正方法】変更
【補正の内容】
【００４９】
紫外線フィルター物質としては例えば４−アミノ安息香酸；３−（４’−トリメチルアンモニウム）ベンジリデン−ボラン−２−オン−メチルスルファート；３，３，５−トリメチル−シクロヘキシルサリチレート；２−ヒドロキシ−４−メトキシベンゾフェノン；２−フェニルベンズイミダゾール−５−スルホン酸およびそれのカリウム、ナトリウムおよびトリエタノールアミン塩；３，３’−（１，４−フェニレンジメチン）−ビス−（７，７−ジメチル−２−オキソビシクロ［２．２．１］−ヘプタン−１−メタンスルホン酸およびそれの塩；１−（４−第三ブチルフェニル）−３−（４−メトキシフェニル）プロパン−１，３−ジオン、３−（４’−スルホ）−ベンジリデン−ボルナン−２−オンおよびそれの塩；２−エチルヘキシル- ２−シアノ−３，３−ジフェニル−アクリル酸−（２−エチルヘキシルエステル）；Ｎ−［２（および４）−（２−オキソボルン−３−イリデンメチル）ベンジル］−アクリルアミドのポリマー；４−メトキシ−桂皮酸−２−エチルヘキシルエステル；エトキシル化エチル−４−アミノ−ベンゾエート；４−メトキシ−桂皮酸−イソアミルエステル；２，４，６−トリス−［ｐ−（２−エチルヘキシルオキシカルボニル）アニリノ］−１，３，５−トリアジン；２−（２Ｈ−ベンゾトリアゾール−２−イル）−４−メチル−６−（２−メチル−３−（１，３，３，３−テトラメチル−１−（トリメチルシリルオキシ）−ジシロキサニル）プロピル）フェノール；４，４’−［（６−［４−（（１，１−ジメチルエチル）−アミノカルボニル）フェニルアミノ］−１，３，５−トリアジン−２，４−イル）ジイミノ］ビス−（安息香酸−２−エチルヘキシルエステル）；３−（４’−メチルベンジリデン）−Ｄ，Ｌ−カンファー；３−ベンジリデン−カンファー；サリチル酸−２−エチルヘキシルエステル；４−ジメチルアミノ安息香酸−２−エチルヘキシルエステル；ヒドロキシ−４−メトキシ−ベンゾフェノン−５−スルホン酸（sulisobenzonum）およびナトリウム塩；および／または４−イソプロピルベンジルサリチレートが適している。
【手続補正８】
【補正対象書類名】明細書
【補正対象項目名】００７７
【補正方法】変更
【補正の内容】
【００７７】
実施例８：リフレッシュしかつ爽快感を与える界面活性剤不含のローション
Ａ  ホホバ油                                          ３．００％
アーモンド油                                      ３．００％
Ｃｅｔｉｏｌ  Ｖ（オレイン酸デシル）              ３．００％
Ｂ  実施例１のコポリマー                              １．５０％
Ｃ  グリセロール                                      ３．００％
メントール ０．７０％
ショウノウ                                        ０．３０％
エタノール                                        ５．００％
水                                      全部で１００％とする残量
保存剤                                              適量
Ｄ  香料                                              ０．３０％
製造：
Ｉ  ＡとＢを混合する。
II  Ｃの溶液をＩに混入し攪拌する。
III ＤをIIに加える。
VI  均一化する。